(57)【要約】      （修正有）【課題】放射線治療装置を提供する。【解決手段】放射源体、ローラ、ローラ駆動機構、治療ベッド、軸受けを装着した支軸を有し、ローラとローラ駆動機構は連接し、支軸の両端とローラの内壁は固定連接し、軸受けの中心線とローラの中心線とは焦点Ｏにおいて垂直交差し軸受けの内部環体と外部環体の一つは駆動機構と連接し、駆動機構と連接する環体上に治療端部が設けられ、放射源体が治療端部上に位置し、治療端部上に設けられる方向設定装置の作用により放射源体より射出する放射線を焦点Ｏに集光する。治療時ローラがその中心軸の周りに回転すると同時に、治療端部を有する環体がその駆動機構による駆動の下に円運動を行い、焦点における放射線量が変化しない状況下で皮膚が受ける放射線量の面積を拡大し、これにより放射線源の数を減少させ、構造を簡略化し、製造コストを低減する。【選択図】図１
0003122628.tif 000002
【実用新案登録請求の範囲】
【請求項１】
放射線源、ローラ、ローラ駆動機構、治療ベッド、治療ベッドの制御系統を有し、ローラとローラ駆動機構が連接する放射線治療装置において、該装置が、さらに、軸受けを装着してなる支軸を有し、支軸と軸受けと駆動機構とを固定連接し、軸受けの中心線と前記ローラの中心線とは焦点Ｏにおいて垂直交差し、前記軸受けの内部環体ないし外部環体のうち支軸に固定連接していない環体と駆動機構の一つが連接し、駆動機構と連接する環体上に治療端部が設けられ、前記放射線源は治療端部内に位置し、治療端部に設けられる方向設定装置の作用により放射線源の射出する放射線を前記焦点Ｏに集めるように設けられたことを特徴とする治療装置。
【請求項２】
請求項１記載の放射線治療装置において、前述のローラ内にさらに放射治療過程中にリアルタイムで腫瘍の位置を検査測定する走査描写装置を有することを特徴とする治療装置。
【請求項３】
請求項１記載の放射線治療装置において、前記内部環体上に、さらに、高周波ないしマイクロ波治療端部が設けられ、該高周波ないしマイクロ波治療端部の射出するマイクロ波ないし高周波電波が前記焦点Ｏに集められるように設けられることを特徴とする治療装置。
【請求項４】
請求項２記載の放射線治療装置において、前記走査描写装置がCT、X線装置、またはSPECTであることを特徴とする治療装置。
【請求項５】
請求項２記載の放射線治療装置において、前記制御系統が走査描写装置を通じてリアルタイムで検査測定して腫瘍の位置に至り、治療ベッドを調整し、人体の腫瘍の位置を常に焦点Ｏの位置に置くように設けられることを特徴とする治療装置。
【請求項６】
請求項２，４，５記載の放射線治療装置において、前記走査描写装置が走査描写線源と、これに対応する探測器とを有することを特徴とする治療装置。
【考案の詳細な説明】
【技術分野】
【０００１】
本考案は放射線治療装置に関する。
【０００２】
従来の技術
従来の放射線治療装置は、ガンマ放射線治療装置のように、病変部と周辺部の線量比を拡大するために、すべて非常に多くの放射線源を用いており、放射線源体の構造を非常に複雑にしている。その結果、病変部と周辺部の線量比の最適化を保証する状況下において、線源の個数を減少させ、構造を簡略化し、コストを低減させることができない。
【０００３】
考案の内容
本考案が解決すべき問題は、従来の放射線治療装置が病変部と周辺部の線量比を最適化できない状況下において線源体の個数を減少させ、構造を簡略化し、コストを低減させる技術的問題である。
【０００４】
上記技術問題を解決するために、本考案が採用した技術的方法は次のとおりである。
【０００５】
本考案の放射線治療装置は、放射線源、ローラ、ローラ駆動機構、治療ベッドとその制御系統を有し、ローラとローラ駆動機構とは連接しており、その特徴は、この治療装置が、さらに、軸受けを装着した支軸を有し、支軸は軸受けによりローラ内壁に固定連接し、軸受けの中心線とローラの中心線とが焦点Ｏにおいて垂直交差し、軸受けの内部環体、外部環体の一つが支軸と固定連接し、内部環体、外部環体のうち支軸に固定連接していない環体と一つの駆動機構に連接し、駆動機構に連接する環体上に治療端部が設けられ、前述の放射線源は治療端部内に位置し、治療端部にある方向設定装置の作用下において放射線源の射出する放射線を焦点Ｏに収斂する。
【０００６】
前述のローラ内には放射治療過程においてリアルタイムで腫瘍の位置を検査測定するのに用いる走査描写装置が設けられる。
【０００７】
前述の内部環体上には高周波またはマイクロ波治療端部が設けられ、高周波またはマイクロ波治療端部の射出するマイクロ波ないし高周波電波が焦点Ｏに集められる。
【０００８】
前述の走査描写装置はCT、X線装置、SPECT等である。
【０００９】
前述の制御装置は走査描写装置を通してリアルタイムで検査測定し、腫瘍の位置に至り、治療ベッドを調整し、もって人体の腫瘍の位置を常に焦点Ｏの位置に置くようにする。
【００１０】
前述の走査描写装置は走査線源およびこれに対応する探測器を有する。
【００１１】
前述の走査線源の形成する面は前述の焦点Ｏを通過する。
【００１２】
以上の技術上の方式を採用した場合、治療時にローラがその中心軸の周りを回転すると同時に、内部環体はその駆動機構による駆動の下において円周運動を行い、放射線源に円周運動をさせ、焦点での線量が変化しない状況下で、皮膚の受ける線量の面積を拡大し、これにより放射線源の個数を減少させ、構造を簡略化し、コストを低減することができる。これにより、現在の放射線治療装置が病変部と周辺部の線量比を最適化することができない状況下において、線源の個数を減少させ、構造を簡略化し、コストを低減する技術的問題を解決した。さらに、ローラ内部にリアルタイムの走査描写装置を増加することができるので、リアルタイムで腫瘍の位置に到達できるのみならず、走査描写装置を通じてリアルタイムで腫瘍の位置に至るとともに治療ベッドを調整して人体の腫瘍の位置を常に焦点位置に置き、走査描写装置がリアルタイムの検査測定により腫瘍の位置に到達し、ディスプレイ装置を通してリアルタイムで腫瘍の位置を表示し、かつ、この位置を示す信号を制御系統に入力し、制御系統を通じて治療ベッドを調整し、もって、人体の腫瘍の位置を常に焦点位置に置くようにし、治療過程中にリアルタイムで治療精度をコントロールする目的を達成し、患者の呼吸に伴う移動に対応して治療ベッドを移動させて治療の精度を高める。最後に、高周波ないしマイクロ波治療端部を増加することができるので、腫瘍細胞の温度を高め、腫瘍細胞を死滅させる効果を高めることができる。
【００１３】
具体的実施方式
図１、２に示すように、本考案の放射線治療装置は、放射線源１、ローラ2、ローラ駆動機構、治療ベッド３、軸受けを有する支軸４と制御系統を有し、ローラとその駆動機構とが連接し支軸の両端とローラ内壁とは固定連接し、軸受けの中心線とローラの中心線とは焦点Ｏにおいて垂直交差し、軸受けの内部環体と内部環体駆動装置とが連接し、内部環体上には治療端部５が設けられ、放射線源は治療端部内に位置し、治療端部内に設けられる方向設定装置の作用により放射線源の射出する放射線を焦点Ｏに集光する。内部環体上には高周波または超短波治療端部の発出する高周波またはマイクロ波の電波も焦点Ｏの上に集光する。ローラ２内には、さらに、放射治療過程中にリアルタイムで検査測定する腫瘍の位置を走査し描写する装置が設けられる。この描写装置はCT、X線装置、SPECT等である。走査描写装置の制御系統は、操作描写装置を通してリアルタイムで検査測定し、腫瘍の位置に至り、治療端部を調整し、人体の腫瘍の位置を常に焦点Ｏに位置させる。走査描写装置は走査線源４とこれに対応する探測器５、ないし走査線源４とガンマ線源またはX線源を有する。当然、支軸と内部環体を固定連接し、治療端部を外部環体上に装着し、駆動機構を外部環体に連接する方式を採用することもできる。
【００１４】
走査描写装置の走査線源４は放射源体１の中に装着することもできるし、放射源体と共用にすることもできる。
【００１５】
治療方法としては、
１．   患者を治療ベッド上に横臥させ、CTまたはX線装置等を用いて走査し、走査描写図をTPSステーションに送り、医師がTPS治療計画を作成する。
【００１６】
２．   医師が治療計画を検討確定した後に、これをガンマナイフ治療系統に送り、患者の治療に用いる。
【００１７】
３．   患者を治療ベッドに載せ、ガンマナイフ治療系統中に進入させた後、該系統は自動的に初期化状態に設定され、初期化を行う。
【００１８】
４．   患者の治療過程と同期して、走査描写装置はリアルタイムで検査測定し、腫瘍位置に到達し、ディスプレイ装置を通して腫瘍の位置を表示し、リアルタイムで検査測定して得た腫瘍位置信号を制御系統に入力し、制御系統を通じて治療ベッドを調整し、人体の腫瘍位置を常に焦点に位置させ、これにより治療過程中にリアルタイムで治療精度を高める目的を達成し、患者の呼吸に伴い治療ベッドが逆方向に移動し、もって高い治療精度を保証する。
【図面の簡単な説明】
【００１９】
【図１】図１は本考案の原理的構造を示す縦方向から見た概念図、
【図２】図２は本考案の原理的構造を示す横方向から見た概念図、
【図３】図３は本考案のローラ内の放射線源の部分的配置構造を示す図である。
【図１】
0003122628.tif 000003
【図２】
0003122628.tif 000004
【図３】
0003122628.tif 000005
【手続補正書】
【提出日】平成18年4月5日(2006.4.5)
【手続補正１】
【補正対象書類名】実用新案登録請求の範囲
【補正対象項目名】全文
【補正方法】変更
【補正の内容】
【実用新案登録請求の範囲】
【請求項１】
放射線源、ローラ、ローラ駆動機構、治療ベッド、治療ベッドの制御系統を有し、ローラとローラ駆動機構が連接する放射線治療装置において、該装置が、さらに、軸受けを装着してなる支軸を有し、支軸と軸受けと駆動機構とを固定連接し、軸受けの中心線と前記ローラの中心線とは焦点Ｏにおいて垂直交差し、前記軸受けの内部環体ないし外部環体のうち支軸に固定連接していない環体と駆動機構の一つが連接し、駆動機構と連接する環体上に治療端部が設けられ、前記放射線源は治療端部内に位置し、治療端部に設けられる方向設定装置の作用により放射線源の射出する放射線を前記焦点Ｏに集めるように設けられたことを特徴とする放射線治療装置。
【請求項２】
請求項１記載の放射線治療装置において、前述のローラ内にさらに放射治療過程中にリアルタイムで腫瘍の位置を検査測定する走査描写装置を有することを特徴とする放射線治療装置。
【請求項３】
請求項１記載の放射線治療装置において、前記内部環体上に、さらに、高周波ないしマイクロ波治療端部が設けられ、該高周波ないしマイクロ波治療端部の射出するマイクロ波ないし高周波電波が前記焦点Ｏに集められるように設けられることを特徴とする放射線治療装置。
【請求項４】
請求項２記載の放射線治療装置において、前記走査描写装置がCT、X線装置、またはSPECTであることを特徴とする放射線治療装置。
【請求項５】
請求項２記載の放射線治療装置において、前記制御系統が走査描写装置を通じてリアルタイムで検査測定して腫瘍の位置に至り、治療ベッドを調整し、人体の腫瘍の位置を常に焦点Ｏの位置に置くように設けられることを特徴とする放射線治療装置。
【請求項６】
請求項２，４，５記載の放射線治療装置において、前記走査描写装置が走査描写線源と、これに対応する探測器とを有することを特徴とする放射線治療装置。